(57)【特許請求の範囲】
【請求項１】
壁面に面して窓孔が開けられている板材と、その板材を押さえるプラスチックの押盤に板材に通して壁面に差し込まれる固定ピンが直に突設された押ピン盤と、板材に窓孔から壁面に上から斜めに差し込んで押盤を止める１以上のフリーのクロスピンとからなり、押ピン盤は、押盤の裏面に板材の窓孔に嵌まる嵌合脚が凸に形成され、且つ、クロスピンを斜めに差し込む通孔が設けられている脆弱壁面に対するピン止具において、板材の窓孔を円形に形成するとともにその左右両端に固定ピンを通す細孔を設け、左右一対の固定ピンが突設される押盤を円形に形成するとともに凸面に形成し、凸面の上部に凹欠部を設け、凹欠部にクロスピンの通孔を斜め下向きに形成し、該クロスピンが頭部付きであることを特徴とする脆弱壁面に対するピン止具。
【請求項２】
壁面に面して窓孔が開けられている板材と、その板材を押さえるプラスチックの押盤に板材に通して壁面に差し込まれる固定ピンが直に突設された押ピン盤と、板材に窓孔から壁面に上から斜めに差し込んで押盤を止める１以上のフリーのクロスピンとからなり、押ピン盤は、押盤の裏面に板材の窓孔に嵌まる嵌合脚が凸に形成され、且つ、クロスピンを斜めに差し込む通孔が設けられている脆弱壁面に対するピン止具において、板材に複数の窓孔を上下に間隔をおいて列設し、その板材に固定ピンを通す細孔を設け、押盤を上下長に形成するとともに各窓孔に対応して嵌合脚が複数個列設され、また、押盤には、各嵌合脚毎に左右クロスピンを互に交差して壁面に通す斜めの通孔が設けてあることを特徴とする脆弱壁面に対するピン止具。
【請求項３】
壁面に面して窓孔が開けられている板材と、その板材を押さえるプラスチックの押盤に板材に通して壁面に差し込まれる固定ピンが直に突設された押ピン盤と、板材に窓孔から壁面に上から斜めに差し込んで押盤を止める１以上のフリーのクロスピンとからなり、押ピン盤は、押盤の裏面に板材の窓孔に嵌まる嵌合脚が凸に形成され、且つ、クロスピンを斜めに差し込む通孔が設けられている脆弱壁面に対するピン止具において、押ピン盤の押盤は、両側面を裏面に対して斜面に形成され、また、固定ピンが窓孔の頂点に係る位置であって、左右の傾斜側面から通すクロスピンが相互に交差するように通孔を傾斜側面から斜めに設けてあり、板材の窓孔は上部が山形であって、板材には、窓孔の山形頂部に固定ピンを通す細孔を設けてあることを特徴とする脆弱壁面に対するピン止具。
【発明の詳細な説明】
【技術分野】
【０００１】
この発明は、特にビス止めが効かないような脆弱な壁面に対して板材を固定するピン止具に関する。
【背景技術】
【０００２】
板材を壁面に止めるには、一般的に、予め板材にビスの通孔を設けておき、通孔からビスを壁面に螺入していた。ここに板材とは、単に板材ばかりでなく、壁面に止める部分が板状である部材、例えば金属板を折り曲げたＬ形の部材や、フックを突設した基板等をいうものとする。これらを止める対象としての壁面は、木板、石膏ボード、モルタル、樹脂発泡板等が多いが、木板であるとビス止めしやすく止めが効くが、他の石膏ボード等では、ビスのネジで螺入周囲が破壊されるので、作業が困難でありしかもグラグラして強力に止めることはできなかった。
【０００３】
このような問題を解決するために、ビスを螺入できる雌ねじを中心に形成された補助の埋込ねじを使用することがある。これは予めモルタル等の壁面に先行して螺入しておき、本ビスをそれに螺入して板材を止めることができるものである。
【発明の概要】
【発明が解決しようとする課題】
【０００４】
埋込ねじは、中心に本ビスが螺入されるよう膨出状の太さがあり、また鍔のように広い螺旋ねじを設けてあるため、これも壁面を破壊することになるため、強力に埋め込むことができなく望みの強度が得られなく、本ビスを固定するには安定性に欠け解決には至らなかった。特に、壁面が柔らかい発泡樹脂板であると、広い螺旋ねじにより周囲が抉られねじ止めに耐えられない損傷が生じるという問題があった。
【０００５】
この発明は、上記のような実情に鑑みて、壁面がモルタル、石膏ボード、発泡樹脂、それらのクロス張等であっても、ピン止めによるためにそれらを損傷することはなく、しかも、ピンが抜けがたくなるため板材を強力に固定して取り付けができ、また、その作業が容易である脆弱壁面に対するピン止具を提供することを課題とした。
【課題を解決するための手段】
【０００６】
上記の課題を解決するために、この発明は、壁面に面して窓孔が開けられている板材と、その板材を押さえるプラスチックの押盤に板材に通して壁面に差し込まれる固定ピンが直に突設された押ピン盤と、板材に窓孔から壁面に上から斜めに差し込んで押盤を止める１以上のフリーのクロスピンとからなり、押ピン盤は、押盤の裏面に板材の窓孔に嵌まる嵌合脚が凸に形成され、且つ、クロスピンを斜めに差し込む通孔が設けられている脆弱壁面に対するピン止具において、
(1)  板材の窓孔を円形に形成するとともにその左右両端に固定ピンを通す細孔を設け、左右一対の固定ピンが突設される押盤を円形に形成するとともに凸面に形成し、凸面の上部に凹欠部を設け、凹欠部にクロスピンの通孔を斜め下向きに形成し、該クロスピンが頭部付きであることを特徴とする。(請求項１)
(2)  板材に複数の窓孔を上下に間隔をおいて列設し、その板材に固定ピンを通す細孔を設け、押盤を上下長に形成するとともに各窓孔に対応して嵌合脚が複数個列設され、また、押盤には、各嵌合脚毎に左右クロスピンを互に交差して壁面に通す斜めの通孔が設けてあることを特徴とする。(請求項２)
(3)  押ピン盤の押盤は、両側面を裏面に対して斜面に形成され、また、固定ピンが窓孔の頂点に係る位置であって、左右の傾斜側面から通すクロスピンが相互に交差するように通孔を傾斜側面から斜めに設けてあり、板材の窓孔は上部が山形であって、板材には、窓孔の山形頂部に固定ピンを通す細孔を設けてあることを特徴とする。(請求項３)
上記(1)、(2)、(3)  のいずれか記載の脆弱壁面に対するピン止具を提供する。
【０００７】
脆弱壁面に対するピン止具を上記のように構成したから、これを使用するには、壁面に対して板材を押し当て、その窓孔に嵌合脚を嵌めながら、固定ピンを壁面に差し込んで押盤を板材の上に止め、次いで、クロスピンを通孔から差し込むことにより押盤を板材の上に固定する。そうすると、クロスピンは、相互に又は少なくとも固定ピンと交差する状態となるものである。
【発明の効果】
【０００８】
以上説明したように、この発明によれば、壁面にピンを差し込むので、ビスとは違って壁面を破壊するようなことはなく、壁面の材質強度がそのまま保持されることはもちろん、クロスピンが少なくとも固定ピンと交差し、或いはクロスピンどうしと交差して抜けがたいピン止め構造が得られ、また、窓孔と嵌合脚との結合も伴って壁面に対する板材の安定した強力な固定状態が得られるという優れた効果がある。
【０００９】
加えて、請求項１の発明によれば、指先の二度のピン押により固定ピンとクロスピンをほゞ同時のタイミングで押すことができて操作性が良く、しかも、交差する強力なピン止となる効果を発揮し、また、請求項2の発明では、上下に長い板材であっても、強力に且つ安定して止めることができる効果が顕著であり、さらに、請求項３の発明では、左右クロスピンを交差して差し込みやすく、そのため、作業が容易となると同時に、強力な耐荷重性が発揮される効果を奏する。
【図面の簡単な説明】
【００１０】
【図１】この発明の一実施例を示す脆弱壁面に対するピン止具の斜視図である。
【図２】同ピン止具の使用状態を示す縦断面図である。
【図３】同じく使用状態を示す横断面図である。
【図４】他の実施例を示す図１に対応する分解斜視図である。
【図５】同ピン止具の使用状態を示す縦断面図である。
【図６】同じく使用状態を示す横断面図である。
【図７】他の実施例を示す図１に対応する分解斜視図である。
【図８】同使用状態を示す縦断面図である。
【発明を実施するための形態】
【００１１】
この発明は、前記課題を解決する以下の実施例を提示するが、これに限定されるものではないことはいうまでもない。
【００１２】
固定ピン１１は壁面Ｗに直に刺し付ける関係から、板材１に対して押盤８を（押しに）正確に当てながら嵌合脚７を窓孔に確実に嵌めるために、先導的に重要な位置決め機能も果たすものである。これについては、固定ピンが所定の位置に通されるよう、窓孔４の一角にそれを通す細孔２０又は２１を設けることもあるが（実施例１又は２）、板材１に窓孔４とは独立にその細孔２２を設けることもある（実施例３）。
【００１３】
窓孔４は、形状を特に限定するものではないが、窓孔４の頂点に細孔２０を設ける場合は（実施例１）、その細孔に固定ピン１１を孔縁に沿って誘導しやすいよう、上部が山形であると作業上都合が良い。候補として、二等辺三角形の他、スペード形、菱形等が挙げられる。
【００１４】
なお、二等辺三角形等の場合は、その山形頂点の角で固定ピン１１が位置決めされるので、必ずしも細孔は要しないことから、この細孔無しの形態でもこの発明の趣旨に反しないものとする。
【実施例１】
【００１５】
図１ないし図３は、一実施例を示したもので、その脆弱壁面に対するピン止具Ｐは、壁面Ｗに止める板材１と、それを止めるための固定ピン１１付き押ピン盤３及び左右で対に使用される付属のクロスピン１３，１３とから構成され、板材１には窓孔４が二等辺三角形に形成され、その頂部に細孔２が設けられる。
【００１６】
押ピン盤３は、窓孔４の三角形よりも一回り大きい押盤８に窓孔４に嵌まる三角形の嵌合脚７を突設した形状であって、プラスチックにより成形されており、嵌合脚７の三角形の頂点部に固定ピン１１が裏面と垂直に突設してある。押盤８には、左右一対においてクロスピン１３，１３の通孔１５，１５が上下二段に設けられる。
【００１７】
左右一対のクロスピン１３，１３は、下向きにおいて互いに交差して窓孔４から壁面Ｗに差し込まれる。したがって、クロスピン１３，１３の下向き傾斜で荷重に耐えやすく、相互のクロス（固定ピン１１とも交差状態）で抜けがたい構造である。このクロスピン１３，１３を通しやすくするために、押盤８の左右側面が前面に傾斜して形成され、斜面の側面に上下に通孔１５，１５の入り口１５ａ，１５ａが斜めに形成され、嵌合脚７の裏面にその出口１５ｂ，１５ｂが斜めに開口してある。
【００１８】
図３は、ピン止具Ｐの使用状態を示し、取り付ける場合には、板材１を所定の箇所に手で押さえ、固定ピン１１を窓孔４の三角形の頂点の細孔２から壁面Ｗに差し込みながら嵌合脚７を窓孔４に嵌め込むと、これで三角どうしの嵌合状態と固定ピン１１により安定して仮に止められるので、次いで、各通孔１５，１５にクロスピン１３，１３を差し込むと、その下向き傾斜のピン方向と左右の交差により押盤８が板材１を止めた状態となり、これが強力に保持される。
【００１９】
クロスピン１３，１３は下向き傾斜の差し込みであるので、押盤８に荷重が掛かっても決して抜けない。この交差の構造での抜けは決してないが、一本ずつであると抜くことができるので、再度模様替え等のためにピン止具Ｐを取り外したり位置の変向をしたりすることができる。
【実施例２】
【００２０】
図４ないし図６は、他の実施例を示したもので、この場合のピン止具Ｐは、壁面Ｗに止める板材１と、押ピン盤３と、頭付きクロスピン１４とから構成される。板材１には、円形の窓孔４が設けられるが、それに隣接して両端に細孔２１，２１が設けられる。
【００２１】
押ピン盤３は、押盤８が窓孔４よりも一回り大きな円形であって、その裏面に窓孔４に押さえ込む嵌合脚７が円形に形成される。そして、押盤８には嵌合脚７の両端に接する位置に左右一対の固定ピン１１，１１が突設され、これを細孔２１，２１から壁面Ｗに差し込むようになっている。また、この押盤８には、一本の頭付きクロスピン１４が通孔１６に通して窓孔４から壁面Ｗに差し込まれる。なお、このクロスピン１４は、固定ピン１１に対してクロスする。
【００２２】
押盤８は、円球の一部をなす凸面形状であって、その上端部に抉ったように凹欠部２４を設け、頭付きクロスピン１４の頭部を凹欠部２４に収めてピンを差し込み得るように、凹欠部２４に通孔１６を傾斜して形成する入口を設け、出口を嵌合脚７の裏面に開口される。
【００２３】
この実施例の場合は、固定ピン１１と頭付きクロスピン１４とが上下に交差する抜けがたい状態が得られるため、操作が指による素手の二度のピン（１１，１４）押し操作だけで、簡単に板材１に対する押盤８の押さえの固定が確定する。
【実施例３】
【００２４】
図７および図８は、さらに他の実施例を多数ピンの例により示したもので、この場合は、３個の嵌合脚７，７，７付きなので押盤８を上下に長く取り、板材１が上下に長く押さえ止められる。その板材１には、上下に等間隔おきに円形の窓孔４，４，４を設ける他、上の窓孔４，４の間に細孔２２が設けられる。
【００２５】
押盤８には、窓孔４，４，４に対応して嵌合脚７，７，７が突設され、上端部において嵌合脚７，７の間で固定ピン１１が突設され、それが細孔２２から壁面Ｗに差し込まれることにより板材１が位置決めされ、この状態において窓孔４，４，４に嵌合脚７，７，７が嵌まり込むので、これで上中下の三段において、それぞれ左右一対でクロスピン１３，１３が差し込まれる。
【００２６】
なお、クロスピン１３，１３は左右両側斜面から通し、窓孔４，４，４から壁面Ｗに差し込まれるように、各段の左右通孔１７，１７が形成される。そして、この場合も左右クロスピン１３，１３が下向きにおいて互いに交差する状態となり、このため、大きな荷重に耐えるとともに、抜けがたいピン止めにより強力な板材１の固定状態が得られる。
【符号の説明】
【００２７】
Ｐ  脆弱壁面に対するピン止具
Ｗ  壁面
１  板材
３  押ピン盤
４  窓孔
７  嵌合脚
８  押盤
１１  固定ピン
１５，１６，１７  通孔
１３，１４  クロスピン
２０，２１，２２  細孔
２４  凹欠部
【図１】
0005709590.tif 000002
【図２】
0005709590.tif 000003
【図３】
0005709590.tif 000004
【図４】
0005709590.tif 000005
【図５】
0005709590.tif 000006
【図６】
0005709590.tif 000007
【図７】
0005709590.tif 000008
【図８】
0005709590.tif 000009